(57)【特許請求の範囲】
【請求項１】
長尺重量物である電柱を水平状態に積載して運搬するための電柱運搬台車において、
前記電柱を載置する積載部を備えた車枠と、
前記車枠の両側に設けられた一対の主車輪と、
前記車枠の前後にそれぞれ軸支され、且つ前後方向に回動可能な一対の補助脚と、
を備え、
前記補助脚は、前記回動によって車枠内側に待避した格納状態と車枠外側の斜め下方へ向けて突出した使用状態とで遷移可能であり、
使用状態における前記補助脚は、前記電柱を載置した前記車枠が水平状態である場合には接地せず、且つ、前記電柱を載置した前記車枠が前方又は後方に傾斜した際に前記電柱の先端又は後端が路面に接触しない傾斜位置で接地してそれ以上の当該車枠の傾斜を阻止するように形成され、
前記車枠は、前記積載部の下方に位置する上フレームと、前記上フレームの下方に位置する下フレームと、前記上フレーム及び前記下フレームを連結するようにして立設された前後一対の支持部材とを備え、
前記一対の補助脚は、前記一対の支持部材の前記下フレーム寄りの位置に軸支されていることを特徴とする電柱運搬台車。
【請求項２】
請求項１に記載の電柱運搬台車において、
前記補助脚の先端には車輪が取り付けられていることを特徴とする電柱運搬台車。
【請求項３】
請求項１又は２に記載の電柱運搬台車において、
前記主車輪及び／又は補助脚の周囲に作業者を保護するためにガードフレームを設けたことを特徴とする電柱運搬台車。
【請求項４】
請求項１から３のいずれか１項に記載の電柱運搬台車において、
前記電柱の水平状態における重心を当該電柱運搬台車の中心である車軸上に位置させるためのガイドとしても機能する電柱運搬台車の吊具掛けが設けられていることを特徴とする電柱運搬台車。
【請求項５】
請求項１から４のいずれか１項に記載の電柱運搬台車において、
さらに、前記主車輪を停止させる制動装置を備え、
前記制動装置は、
前記主車輪を制動させて停止させるためのブレーキ操作レバーと、
前記主車輪を停止状態に保持するブレーキ固定操作ノブと、
を備えていることを特徴とする電柱運搬台車。
【発明の詳細な説明】
【技術分野】
【０００１】
本発明は、電柱運搬台車に関し、さらに詳しくは、長尺重量物である電柱を水平状態に積載して運搬するための電柱運搬台車に関する。
【背景技術】
【０００２】
新規の配電工事や電柱の取り替え工事等においてはコンクリート柱の建柱が必要となる場合がある。その際、電柱運搬車両（自動車）が進入できないような小路等へのコンクリート柱の運搬には電柱運搬車両から建柱現場までの間を人力で走行する電柱運搬台車が利用される。電柱運搬台車は、一般に各営業拠点において独自採用され、強度に関する規格や安全装置等に関する仕様も統一されてはいないのが現状であり、作業に必要な作業員数や台車の形状等も４輪や２輪などと様々である。
【０００３】
電柱運搬台車の一例としては、例えば特許文献１に示す電柱運搬装置がある。この電柱運搬装置は前部台車、後部台車及び操作部の３つのブロックからなり、前部台車は、電柱が車輪と概ね平行に載せられる電柱受け台と、この柱受け台に載せられた電柱を固定する電柱固定具と、一対の車輪からなる車体とを備え、後部台車は、車体と、この車体に回転可能且つ方向自在に取付けられた少なくとも１つの車輪と、この車体の上方に設けられて電柱が載せられる電柱受け台と、この電柱受け台に載せられた電柱を電柱受け台に固定する電柱固定具とからなる後部台車とを備え、操作部は、下面が電柱端部の上面に当接する支持板と、この支持板の上部に立設されたＴ字状の握り部と、上記支持板を電柱に固定する固定具とを備えて構成されている。
【０００４】
４輪構造の電柱運搬台車は水平状態を保ち易いが電柱端部を上下させることができず、障害物回避に制限があり、且つ、作業員を多く（例えば６人）必要とする。この点、２輪構造の電柱運搬台車は小回りが効くとともに電柱端部を上下させ易く、障害物回避が可能で、且つ、作業員数を少なく（例えば２〜４名）できるという利点がある。
【先行技術文献】
【特許文献】
【０００５】
【特許文献１】実開平２−３１２０８号公報
【発明の概要】
【発明が解決しようとする課題】
【０００６】
しかしながら、２輪構造の電柱運搬台車は、走行中の急停止によって電柱運搬台車が傾斜して積載された電柱の先端が地面と衝突するおそれがある。また、このときに作業者が身体を挟まれて負傷する等の危険があり、電柱運搬台車の安全性の向上が強く望まれていた。
【０００７】
そこで、本発明は、かかる問題点に鑑みなされたもので、作業者に対する安全性、電柱の積載安定性及び使い勝手を向上させた電柱運搬台車を提供することを目的とする。
【課題を解決するための手段】
【０００８】
上記課題を解決するために請求項１に記載の発明は、長尺重量物である電柱を水平状態に積載して運搬するための電柱運搬台車において、前記電柱を載置する積載部を備えた車枠と、前記車枠の両側に設けられた一対の主車輪と、前記車枠の前後にそれぞれ軸支され、且つ前後方向に回動可能な一対の補助脚と、を備え、前記補助脚は、前記回動によって車枠内側に待避した格納状態と車枠外側の斜め下方へ向けて突出した使用状態とで遷移可能であり、使用状態における前記補助脚は、前記電柱を載置した前記車枠が水平状態である場合には接地せず、且つ、前記電柱を載置した前記車枠が前方又は後方に傾斜した際に前記電柱の先端又は後端が路面に接触しない傾斜位置で接地してそれ以上の当該車枠の傾斜を阻止するように形成され、前記車枠は、前記積載部の下方に位置する上フレームと、前記上フレームの下方に位置する下フレームと、前記上フレーム及び前記下フレームを連結するようにして立設された前後一対の支持部材とを備え、前記一対の補助脚は、前記一対の支持部材の前記下フレーム寄りの位置に軸支されていることを特徴とする。
【００１０】
上記課題を解決するために請求項２に記載の本発明は、請求項１に記載の電柱運搬台車において、前記補助脚の先端には車輪が取り付けられていることを特徴とする。
【００１１】
上記課題を解決するために請求項３に記載の本発明は、請求項１又は２に記載の電柱運搬台車において、前記主車輪及び／又は補助脚の周囲に作業者を保護するためにガードフレームを設けたことを特徴とする。
【００１２】
上記課題を解決するために請求項４に記載の本発明は、請求項１から３のいずれか１項に記載の電柱運搬台車において、前記電柱の水平状態における重心を当該電柱運搬台車の中心である車軸上に位置させるためのガイドとしても機能する電柱運搬台車の吊具掛けが設けられていることを特徴とする。
【００１３】
上記課題を解決するために請求項５に記載の本発明は、請求項１から４のいずれか１項に記載の電柱運搬台車において、さらに、前記主車輪を停止させる制動装置を備え、前記制動装置は、前記主車輪を制動させて停止させるためのブレーキ操作レバーと、前記主車輪を停止状態に保持するブレーキ固定操作ノブとを備えていることを特徴とする。
【発明の効果】
【００１４】
本発明に係る電柱運搬台車によれば、安全性、積載安定性及び使い勝手を向上させることができるという効果がある。
【図面の簡単な説明】
【００１５】
【図１】本発明に係る電柱運搬台車の好ましい一実施形態を示す斜視図である。
【図２】電柱運搬台車の平面図である。
【図３】電柱運搬台車の側面図である。
【図４】電柱運搬台車の補助脚を格納した状態を示す側面図である。
【図５】電柱運搬台車の補助脚を格納した状態を示す斜視図である。
【図６】補助脚の格納機構を示す右側面図である。
【図７】補助脚の格納機構を示す正面部分図である。
【図８】ロックピンとリンチピンの取り付け状態を示す斜視図である。
【図９】ロックピンとリンチピンの一実施形態を示す斜視図である。
【発明を実施するための形態】
【００１６】
［電柱運搬台車の構成］
以下、本発明に係る電柱運搬台車について、好ましい一実施形態に基づいて詳細に説明する。図１は本発明に係る電柱運搬台車の一実施形態を示す斜視図、図２は電柱運搬台車の平面図、図３は電柱運搬台車の側面図である。図示された電柱運搬台車１は、概略として、電柱Ｐ（図３参照）を前後２カ所で載置する積載部２０，２０を備えた車枠２と、この車枠２の左右の両側のほぼ中央に設けられた一対の主車輪３，３と、電柱Ｐを載置した車枠２が前方又は後方に傾斜した際に電柱Ｐの先端又は後端が路面に接触しない傾斜位置で地面に接してそれ以上の車枠２の傾斜を規制すべく車枠２の前後に配置され、且つ、それぞれの先端に補助輪４が取付けられた一対の補助脚５，５を備えて構成されている。電柱運搬台車１は、いわゆる並列二輪形式を基本に形成されている。
【００１７】
車枠２は、角形鋼材等の金属材料を溶接するなどして上フレーム２２及び下フレーム２３を備えると共に、四隅で上フレーム２２と下フレーム２３を連結する前後一対の支持部材２４，２４を備え、平面視長方形状のフレーム構造に形成されている。そして、車枠２の上部に位置する積載部２０，２０には載置された電柱Ｐの転がり防止のためのストッパ２１，２１が設けられている。さらに、車枠２の前後方向における中央部分の左右の両側には、ゴムタイヤを備えた主車輪３，３が同一軸線上に取り付けられている。また、車枠２の前方及び後方には補助脚５，５が取り付けられており、補助脚５，５の先端には補助輪４，４がそれぞれ取り付けられている。そして、主車輪３，３の周囲には金属の棒材またはパイプ材を枠形に形成した主車輪ガードフレーム６，６が主車輪３，３を囲むようにして車枠２に取付けられている。同様に、補助輪４，４の周囲には補助輪用ガードフレーム７，７が補助輪４，４を囲むようにして補助脚５，５に取付けられている。これにより、主車輪３，３や補助輪４，４によって作業者の足などが踏まれる等の事故を防止する。
【００１８】
また、上フレーム２２の左右の両側の中央部には車両に搭載のクレーンによって電柱運搬台車１を吊り上げるための吊具掛け２９,２９が設けられている。そして、この吊具掛け２９,２９は、電柱Ｐの水平状態における重心を電柱運搬台車１の車枠２の中心に位置させるガイドとしての機能も備えている。
【００１９】
主車輪３，３は、電柱Ｐの重さ（約１，７００ｋｇ）及び電柱運搬台車１の自重（約３５０ｋｇ）を合わせた重さ（２，０５０ｋｇ）に耐え得るような仕様とする。具体的には、主車輪３あたりの許容荷重ｗｔ１は次式で求められる。
ｗｔ１＝［（積載荷重＋台車荷重）×安全率］／２
＝［（１，７００＋３５０）×１．６］／２＝１，６４０［ｋｇ］
したがって、主車輪３，３は許容荷重１，６４０ｋｇ以上で、且つ転がり抵抗及びタイヤ剛性のバランスを考慮したものとなる。
【００２０】
補助脚５，５は、図５に示すように、それぞれが上端側を支点にして前後方向（図３における左右方向）に回動可能とされ、個別に内側へ退避させることができるように形成されている。補助脚５，５は、車枠２を構成する上フレーム２２と下フレーム２３を連結するようにして立設された前後一対の支持部材２４，２４にそれぞれ軸支された状態で配置されている。この補助脚５，５は、電柱運搬台車１が前方や後方に傾斜した際、積載している電柱Ｐの先端又は後端が地面に衝突するのを防止するために設けられたものであるが、車枠２が略水平位置にあるときには主車輪３の接地レベルよりも高い位置に設定されており、車枠２が前方または後方に傾いたときに前方又は後方の補助脚５，５の先端に取り付けられた補助輪４，４のいずれかと主車輪３が接地する。すなわち、補助脚５，５は、使用状態では積載した電柱Ｐの先端又は後端の下部と主車輪３，３下面とを結ぶ接線より先端が露出しており、且つ、車枠２が水平状態にあるときに先端が地面より離れた状態となっている。
【００２１】
図６は補助脚の格納機構を示す右側面図、図７は補助脚の格納機構を示す正面部分図である。また、図８はロックピンとリンチピンの取り付け状態を示す斜視図、図９はロックピンとリンチピンの一実施形態を示す斜視図である。補助脚５の軸支側端の両側には一対の補助脚固定ピン支持板２５，２５が支持部材２４に取付けられており、補助脚固定ピン支持板２５，２５の主車輪３寄りの端部にはピン孔２６，２６がそれぞれ設けられている。このピン孔２６，２６には補助脚５を内側に跳ね上げて格納した際に格納状態を維持するためのロックピン２７（図６、図９参照）が挿通され、補助脚固定ピン支持板２５から突出したロックピン２７の先端にはロックピン２７が抜脱しないようにリンチピン３０によって固定される。
【００２２】
ロックピン２７は図９に示すように棒状の胴部３１と、その一端に設けられた把手３２と、胴部３２の他端に設けられた挿入孔３３とを備えて構成されている。また、リンチピン３０は、挿入孔３３に挿入可能な外径を有する棒状の胴部３４と、一端に取付けられたロックリング３５とを備えて構成されている。ロックリング３５は円形を成して図示の矢印方向に回動することができる。例えば、挿入孔３３に胴部３４を挿した後、ロックリング３５をａ方向に回して胴部３１の他端に係着させると胴部３４が胴部３１から抜け出るのを防止することができる。
【００２３】
また、補助脚５，５には、補助脚５を引き出して使用状態とした場合に補助脚５が格納状態へと戻らないように固定するために用いられるピン孔２８，２８が一対の支持部材２４，２４の下端にそれぞれ設けられている。このピン孔２８，２８は補助脚５を図３に示す使用状態としたときにピン孔２６，２６に重なり、重なったピン孔２６，２８にロックピン２７を挿入することができ、これによって補助脚５がロックされ、回動が阻止されるようになっている。
【００２４】
ここで、補助脚５，５の各状態について説明する。補助脚５，５は使用状態、格納状態、開放状態の３つの状態がある。使用状態は補助脚５，５を引き出してロックピン２７で固定した状態であり、主として電柱Ｐの搭載作業時（安全性確保のため）、単独走行時（前後方向の安全性確保のため）、電柱運搬走行時（積載電柱の前後端部の接地防止のため）、輸送時（輸送時における安定性の確保のため）に採られる状態である。また、格納状態は補助脚５，５を跳ね上げてロックピン２７で固定した状態であり、主として電柱運搬台車１の保管収納時や輸送時（前後寸法の縮小化のため）に採られる状態である。そして、開放状態はロックピン２７を抜去して補助脚５，５をフリーにした状態であり、主として電柱端の障害物回避時（作業性の向上のため）、電柱立ち上げ（建柱）作業時（建柱作業の安全性確保のため）に採られる状態である。このように、補助脚５，５は作業状態に応じて適宜の状態とされる。
【００２５】
電柱建て込み作業時において、電柱運搬台車１から電柱Ｐをクレーンで直接起立させた場合、電柱Ｐの根元側の補助輪４に対して一時的に集中荷重がかかる。そのため補助輪４，４に対しても吟味が必要となる。ここで、電柱Ｐの重心から吊り上げ位置の距離を１，５００ｍｍ、電柱Ｐの重心から補助輪４，４までの距離を１，０００ｍｍとすると、補助輪４，４にかかる集中荷重Ｗｔ２は次式によって求められる。
Ｗｔ２＝安全率×積載荷重×１，５００／（１，５００＋１，０００）
＝１．６×１，７００×１，５００／２，５００＝１，６３２〔ｋｇ〕
この結果から、補助輸５，５の許容荷重は１，６３２ｋｇ以上となる。
【００２６】
また、主輪３，３には制動装置としてディスクブレーキ８が設けられている。このディスクブレーキ８はブレーキ操作レバー９を操作することで作動する。ディスクブレーキ８が備えるべき条件は、次の通りである。
（ａ）電柱運搬台車１は人力移動であることから、その速度は人の歩行速度（４ｋｍ／ｈ＝１．１ｍ／秒）秒以下とする。
（ｂ）電柱運搬台車１が運用される普通道路は、道路構造令第２０条によって縦断勾配が９％以下と規定されている。このことから、ディスクブレーキ８による制動は移動速度1．１ｍ／秒からの安全な停止能力を有し、且つ、勾配９％の路面上での停止持続能力を有することとした。
【００２７】
以上を勘案し、ディスクブレーキ８には機械式ディスクブレーキを用い、これを主車輪３，３のそれぞれの内側に設置した。そしてディスクブレーキ８とブレーキ操作レバー９との結合はリンク式としている。尚、ブレーキ操作レバー９は門型に形成され、走行操作ハンドルとしても利用される主車輪ガードフレーム６，６の上部近傍に配置されている。ブレーキ操作レバー９を手前に引くと、ディスクブレーキ８が動作して制動が掛る。ブレーキ操作レバー９は左右のどちらで側でも操作可能とされている。そして、ブレーキ操作レバー９を手前に引きながらブレーキ固定操作ノブ１１を所定の方向へ回し込むと、ブレーキ操作レバー９が固定されてブレーキが連続作動状態となり、駐車ブレーキとなる。ブレーキ固定操作ノブ１１を反対側に回せばブレーキは解除される。
【００２８】
［電柱運搬台車の動作］
次に、上述した電柱運搬台車１の動作について説明する。まず、電柱運搬台車１を作業用自動車に乗せて所定の建柱場所の近くまで運搬する。運搬の際の電柱運搬台車１の補助脚５，５は格納状態又は使用状態のいずれでも構わない。格納状態の場合は使用状態の場合よりも電柱運搬台車１の全長が短くなるので作業用自動車に合わせて適宜に選択することができる。所定の場所に到着したら作業用自動車から降ろし、電柱運搬台車１の補助脚５，５が格納状態にあった場合には補助脚５，５を引き出して補助脚５，５が回動しないようにロックピン２７及びリンチピン３０で固定する。
【００２９】
次に作業者は、作業用自動車に積載されている電柱Ｐの１本をクレーン等で電柱運搬台車１上へ移載する。この場合、ブレーキ操作レバー９を手前に引きながらブレーキ固定操作ノブ１１を所定の方向へ回し込むことによりブレーキ操作レバー９を固定して駐車ブレーキを行い、電柱運搬台車１をしっかりと停止させる。そして、吊具掛け２９,２９を電柱Ｐの水平状態における重心を位置させるためのガイドとして利用することにより電柱運搬台車１の前後方向と電柱Ｐの長さ方向を適宜合わせて電柱Ｐの重心位置が電柱運搬台車１の中央になるように位置決めし、その状態のまま電柱Ｐを下降させ、積載部２０，２０上へ載置する。載置された電柱Ｐは、ストッパ２１，２１によって回転が規制された状態で積載部２０，２０に位置決め配置される。次に作業者は、車枠２の前後の両側に設けられている一対の電柱固定用フック１０，１０間に図示しないロープ等を掛け渡して電柱Ｐが前後左右に移動しないよう電柱Ｐを車枠２にしっかりと固定する。
【００３０】
建柱場所までの電柱運搬台車１の移動は通常２名の作業者によって行われる。移動に際し、作業者はブレーキ操作レバー９を操作してディスクブレーキ８の制動を解除する。そして電柱運搬台車１を進行方向へ押しながら建柱場所へ移動する。移動は、２名の作業員が電柱運搬台車１の後部両側にそれぞれ位置し、手前にある主車輪ガードフレーム６，６を走行操作ハンドルとして利用して前方へ押す。電柱運搬台車１を右方向へ走行する場合には左側に位置する作業者が強く押し、電柱運搬台車１を左方向へ走行する場合には右側に位置する作業者が強く押す。後方へ移動する場合には電柱運搬台車１を後方に引き、回転する場合には作業者がそれぞれ押し引きをする。障害物を回避する場合には適宜補助脚５，５を開放状態する。
【００３１】
建柱場所に到着したらブレーキ操作レバー９を操作してディスクブレーキ８により制動し、電柱運搬台車１をブレーキ操作レバー９及びブレーキ固定操作ノブ１１によって駐車ブレーキを行い、しっかりと停止させる。そして、作業者は、補助脚５，５のリンチピン３０及びロックピン２７を外し、補助脚５，５を開放状態とする。そして、電柱Ｐの後端を接地させた後、電柱固定用フック１０，１０及び電柱Ｐからロープを外し、電柱Ｐの立設及び下端を埋設する建柱作業に移行する。
【００３２】
建柱作業が終了したら、補助脚５，５を引き出してロックピン２７及びリンチピン３０によってロックし、補助脚５，５を使用状態とする。そして、電柱運搬台車１を作業用自動車まで単独走行させて荷台へ積載する。
【００３３】
［実施形態の効果］
本実施形態に係る電柱運搬台車１によれば、電柱Ｐを載置した車枠２が前方又は後方に傾斜した際、電柱Ｐの先端又は後端が路面に接触しない傾斜位置で接地してそれ以上の車枠２の傾斜を阻止するように配置された補助脚５を設けたので取り回しが容易であり、しかも車枠２が傾斜した場合でも載置した電柱Ｐの先端又は後端が地面に衝突することが防止されるという効果がある。
【００３４】
また、補助脚５を回動可能として跳ね上げ及び引き出しを可能にしたため、補助脚５を格納状態とすることにより全長を縮小化することでコンパクト化を図ることができ、且つ、使い勝手（例えば、小回りの転回、作業用車両への積み下ろし、保管スペースの縮小等）が向上するという効果がある。
【００３５】
また、ロックピン２７及びリンチピン３０によって補助脚５を格納状態と使用状態の各状態で保持（ロック）できるようにしたため、格納状態及び使用状態において補助脚５が勝手に動くのを防止できることで安全性を確保できるという効果がある。
【００３６】
さらに、補助脚５を車枠２から引き出したときには補助輪４が車枠２の外側に出るため、電柱積載時、電柱運搬時及び走行時の安定性が向上するという効果がある。
【００３７】
さらに、主車輪３，３には、制動装置であるディスクブレーキ８による制動とブレーキ操作レバー９及びブレーキ固定操作ノブ１１によって停止を保持させることができるため、電柱運搬台車１が勝手に動くのを防止できることで安全性を確保できるという効果がある。
【００３８】
以上のように、本発明の好ましい実施形態について詳述したが、本発明は係る特定の実施形態に限定されるものではなく、特許請求の範囲に記載された本発明の要旨の範囲内において、種々の変形・変更が可能であることはいうまでもない。例えば、コンクリート電柱に代えて木柱でもよく、更には、電柱Ｐ以外の長尺物、例えば木材、金属管、樹脂パイプ、建築資材等にも適用可能である。
【符号の説明】
【００３９】
１  電柱運搬台車
２  車枠
３  主車輪
４  補助輪
５  補助脚
６  主車輪用ガードフレーム
７  補助輪用ガードフレーム
８  ディスクブレーキ
９  ブレーキ操作レバー
１０  電柱固定用フック
１１  ブレーキ固定操作ノブ
２０  積載部
２１  ストッパ
２２  上フレーム
２３  下フレーム
２４  支持部材
２５  補助脚固定ピン支持板
２６，２８  ピン孔
２７  ロックピン
２９  吊具掛け
３０  リンチピン
３１，３４  胴部
３２  把手
３３  挿入孔
３５  ロックリング
【図１】
0006674231.tif 000002
【図２】
0006674231.tif 000003
【図３】
0006674231.tif 000004
【図４】
0006674231.tif 000005
【図５】
0006674231.tif 000006
【図６】
0006674231.tif 000007
【図７】
0006674231.tif 000008
【図８】
0006674231.tif 000009
【図９】
0006674231.tif 000010